(57)【要約】  【課題】    赤色レーザを利用する現行のＤＶＤ規格の光ディスクと、青色レーザを利用する次世代の光ディスクとでは互換性がなく、現在流通している大多数の光ディスクが使用することができなくなるという課題がある。  【解決手段】  光ピックアップからアクセスされる光ディスク媒体を保持する保持部と、前記保持部に保持された光ディスク媒体の一の面にアクセスする第一の波長を利用する第一光ピックアップ部と、前記光ディスク媒体の他の面にアクセスする第二の波長を利用する第二光ピックアップ部と、を有する光ディスク装置を提供する。前記第一の波長はＤＶＤ規格に対応した赤色レーザ波長であってもよいし、前記第二の波長はＢｌｕ−Ｒａｙ規格に対応した青色レーザ波長であってもよい。【選択図】            図２
2006139836.tif 000002
【特許請求の範囲】
【請求項１】
光ピックアップからアクセスされる光ディスク媒体を保持する保持部と、
前記保持部に保持された光ディスク媒体の一の面にアクセスする第一の波長を利用する第一光ピックアップ部と、
前記光ディスク媒体の他の面にアクセスする第二の波長を利用する第二光ピックアップ部と、を有する光ディスク装置。
【請求項２】
前記第一の波長はＤＶＤ規格に対応した赤色レーザ波長であり、前記第二の波長はＢｌｕ−Ｒａｙ規格に対応した青色レーザ波長である請求項１に記載の光ディスク装置。
【請求項３】
前記第一光ピックアップ部と、前記第二光ピックアップ部とを制御する制御部を有し、
前記制御部は、前記第一光ピックアップ部と前記第二光ピックアップ部とを同時駆動する請求項1又は２に記載の光ディスク装置。
【請求項４】
前記制御部は、前記第一光ピックアップ部から得られる第一信号と、前記第二光ピックアップ部から得られる第二信号とに基づいて一のコンテンツを構成するための信号処理を行なうマルチインプット制御手段を有する請求項３に記載の光ディスク装置。
【請求項５】
前記制御部は、前記第一光ピックアップ部と、前記第二光ピックアップ部に対して、一方には書込処理を、他方には読み出し処理を同時にさせるマルチ処理手段を有する請求項３又は４に記載の光ディスク装置。
【請求項６】
前記第一光ピックアップ部と前記第二光ピックアップ部とは、アクセスした媒体面の種別を判断するための媒体面種別判断手段と、
前記媒体面種別判断手段の判断結果に基づいて、ディスクの種別が誤っていることを告知するための第一情報又は、前記保持部に対するディスクの挿入面方向を逆転させることを推奨するための第二情報を出力するエラーメッセージ手段と、
を有する請求項１から５のいずれか一に記載の光ディスク装置。
【請求項７】
光ピックアップからアクセスされる光ディスク媒体を保持する保持ステップと、
前記保持された光ディスク媒体の一の面にアクセスする第一の波長を利用する第一光ピックアップステップと、
前記光ディスク媒体の他の面にアクセスする第二の波長を利用する第二光ピックアップステップと、からなる光ディスク装置の動作方法。
【請求項８】
前記第一光ピックアップステップと、前記第二光ピックアップステップとを制御する制御ステップを実行し、
前記制御ステップは、前記第一光ピックアップステップと前記第二光ピックアップステップとを同時駆動する請求項７に記載の光ディスク装置の動作方法。
【請求項９】
前記制御ステップは、前記第一光ピックアップステップから得られる第一信号と、前記第二光ピックアップステップから得られる第二信号とに基づいて一のコンテンツを構成するための信号処理を行なうマルチインプット制御ステップを実行する請求項８に記載の光ディスク装置の動作方法。
【請求項１０】
前記制御ステップは、前記第一光ピックアップステップと、前記第二光ピックアップステップに対して、一方には書込処理を、他方には読み出し処理を同時にさせるマルチ処理ステップを実行する請求項８又は９に記載の光ディスク装置の動作方法。
【請求項１１】
前記第一光ピックアップステップと前記第二光ピックアップステップとは、アクセスした媒体面の種別を判断するための媒体面種別判断ステップと、
前記媒体面種別判断ステップの判断結果に基づいて、ディスクの種別が誤っていることを告知するための第一情報又は、前記保持部に対するディスクの挿入面方向を逆転させることを推奨するための第二情報を出力するエラーメッセージステップと、
を実行する請求項７から１０のいずれか一に記載の光ディスク装置の動作方法。
【発明の詳細な説明】
【技術分野】
【０００１】
本発明は、２つの異なる波長をもった光ディスク装置の光ピックアップの構成に関する。
【背景技術】
【０００２】
近年、次世代の光ディスクの規格として青色レーザ波長を利用したＢｌｕ−Ｒａｙ  Ｄｉｓｃ（登録商標）などの実用化が進められている。しかしながら、現行のＤＶＤやＣＤ−ＲＯＭなどの規格は、波長が７８０ｎｍや６５０ｎｍなどの赤色レーザ波長にのみ対応しているため、波長が４０５ｎｍなどの青色レーザ波長を利用する次世代光ディスクとは互換性がないという問題がある。従って、一の規格のみにしか対応していない光ディスク装置では、他の規格の光ディスクを利用することはできないという問題がある。なお、従来技術では、現行のＤＶＤの規格が両面ディスクの場合には赤色レーザ波長に対応した光ピックアップを上下両面から行うものがあるが、異なる周波数を備えた光ピックアップの構成は発明されていなかった。また、ピックアップをディスクの両面から行う発明として、光ディスクの両面に２つの光ピックアップを配置し、データの記録再生動作を光ディスクの両面に同時に行うことで高速の記録動作を行うという発明が特許文献１で開示されているが、異なる周波数を備えた光ピックアップの構成については発明されていなかった。
【特許文献１】特開２００１−４３５４８号公報
【発明の開示】
【発明が解決しようとする課題】
【０００３】
赤色レーザ波長を利用する現行のＤＶＤ規格の光ディスクと、青色レーザを利用する次世代の光ディスクとでは互換性がなく、現在流通している大多数のＤＶＤ規格やＣＤ規格の光ディスクを将来的に使用することができなくなるという課題がある。また、従来技術のように光ピックアップを光ディスクの両面に配置しても、同一の波長を備えた光ピックアップであるため、規格が異なる光ディスクに対しては対応していないという課題がある。
【課題を解決するための手段】
【０００４】
そこで、本発明においては、かかる問題点を解決するために、光ピックアップからアクセスされる光ディスク媒体を保持する保持部と、前記保持部に保持された光ディスク媒体の一の面にアクセスする第一の波長を利用する第一光ピックアップ部と、前記光ディスク媒体の他の面にアクセスする第二の波長を利用する第二光ピックアップ部と、を有する光ディスク装置を提供する。前記第一の波長はＤＶＤ規格に対応した赤色レーザ波長であってもよいし、前記第二の波長はＢｌｕ−Ｒａｙ規格に対応した青色レーザ波長であってもよい。また、前記第一光ピックアップ部と、前記第二光ピックアップ部とを制御する制御部を有し、前記制御部は、前記第一光ピックアップ部と前記第二光ピックアップ部とを同時駆動してもよい。また、前記制御部は、前記第一光ピックアップ部から得られる第一信号と、前記第二光ピックアップ部から得られる第二信号とに基づいて一のコンテンツを構成するための信号処理を行なってもよい。また、前記第一光ピックアップ部と、前記第二光ピックアップ部に対して、一方には書込処理を、他方には読み出し処理を同時にさせてもよい。また、前記第一光ピックアップ部と前記第二光ピックアップ部とは、アクセスした媒体面の種別を判断し、判断結果に基づいて、前記保持部に対するディスクの挿入面方向を逆転させることを推奨するための第一情報又は、ディスクの種別が誤っていることを告知するための第二情報を出力してもよい。
【発明の効果】
【０００５】
本発明は現行のＤＶＤ規格に対応した赤色レーザ波長と、Ｂｌｕ−Ｒａｙ規格に対応した青色レーザ波長の２つの光ピックアップを備えることなどにより、光ディスク媒体の両面に対してそれぞれがアクセス可能となるため、異なる規格の光ディスク媒体に対しても一の光ディスク装置で読み出し処理や書き込み処理を行うことが可能となり、互換性の問題を解消することができる。また、光ディスク媒体の両面に対してアクセスするため、片面は現行ＤＶＤ規格に対応し、他面はＢｌｕ−Ｒａｙ規格に対応した光ディスク媒体などに対しても、物理的に表裏を返さずにそれぞれの規格面に対して処理を行うことが可能となる。更には、両面が異なる規格の光ディスク媒体に対して同時にアクセスすることが可能であるため、片方では既記録番組の読み出しを行い、他方では放映中の番組を書き込むといったマルチ処理も可能になる。
【発明を実施するための最良の形態】
【０００６】
以下に、各発明の実施の形態を説明する。なお、本発明はこれら実施の形態に何ら限定されるものではなく、その要旨を逸脱しない範囲において、種々なる態様で実施しうる。なお、以下の実施形態と請求項の関係は次の通りである。実施形態１は、主に請求項１、２、７などについて説明する。実施形態２は、主に請求項３、８などについて説明する。実施形態３は、主に請求項４、９などについて説明する。実施形態４は、主に請求項５、１０などについて説明する。実施形態５は、主に請求項６、１１などについて説明する。
【０００７】
<<実施形態１>>
<実施形態１の概要>
本実施形態は、異なる波長をもった光ディスク装置の光ピックアップの構成に関するものである。図１は、本実施形態の概念の一例を示すものである。図１に示すように、スピンドルモータ（０１１０）によって回転駆動する光ディスク媒体（０１４０）の上下両面に対して光ピックアップが配置されており、下面の第一光ピックアップ（０１２０）は赤色レーザ波長のレーザを用いて光ピックアップを行い、上面の第二光ピックアップ（０１３０）は青色レーザ波長のレーザを用いて光ピックアップを行っている。
【０００８】
<実施形態１の構成>
本実施形態での機能ブロックの一例を図２に示す。図２に示す本実施形態の「光ディスク装置」（０２００）は、「保持部」（０２１０）と、「第一光ピックアップ部」（０２２０）と、「第二光ピックアップ部」（０２３０）と、からなる。「保持部」（０２１０）は、光ピックアップからアクセスされる光ディスク媒体を保持する。保持部の一例としては、光ディスク媒体を光ディスク装置内に取り込むためのローディングモータや、ディスク媒体を乗せるためのターンテーブルや、ターンテーブル上に載せられたディスク媒体を固定するためのマグネットクランプや、ターンテーブル上の光ディスク媒体を回転駆動させるためのスピンドルモータなどが挙げられる。なお、保持部（０２１０）はこれらの任意の一以上の組み合わせであってもよい。光ピックアップとは、半導体レーザから出た光を収束させてディスク表面に当て、その反射光を受光素子へと導くための光学部品のことなどを示す。光ピックアップからのアクセスの例としては、前記スピンドルモータによって回転駆動している光ディスク媒体に対して光ヘッド位置をディスクの内周部や外周部に搬送させ、各トラックのセクタに対してアクセスすることなどが挙げられる。また、光ピックアップが光ディスク媒体にアクセスする場合には、フォーカシングやトラッキングなどといった光ヘッド位置の制御を行い、ディスクの面振れや半径方向への変位によるトラック振れを防いでもよい。光ディスク媒体の一例としては、ＣＤ−ＲＯＭ、ＣＤ−Ｒ、ＣＤ−ＲＷや、ＤＶＤ−ＲＯＭ、ＤＶＤ−Ｒ、ＤＶＤ−ＲＡＭ、ＤＶＤ−ＲＷなどのように赤色レーザ波長に対応したものや、Ｂｌｕ−Ｒａｙ  Ｄｉｓｃ（登録商標）などのように青色レーザ波長に対応したものなどが挙げられる。このように光ディスク媒体とは光ピックアップを用いてアクセス可能な媒体全てを含むものである。赤色レーザ波長とは、約６１０ｎｍから７８０ｎｍの範囲における任意の波長のことであり、青色レーザ波長とは、３８０ｎｍから４６０ｎｍの範囲における任意波長のことであり、青紫色を含むものである。第一光ピックアップ部を構成する一例としては、レーザ発振器や、レーザ発振器から発射されたレーザービーを反射させるビームスプリッタや、レーザを集光する対物レンズなどが挙げられる。
【０００９】
第一光ピックアップ部（０２２０）は、前記保持部に保持された光ディスク媒体の一の面にアクセスする第一の波長を利用する。一の面とは、レーザが入射する面のことを示しており、ＤＶＤ規格のように片面２層や両面２層ディスクなどの複層に渡って記録面がある場合には、２層分の記録面を含んでいてもよい。第一の波長とは、光ディスク媒体に対してアクセス可能な波長のいずれをも含む。一例としては、ＣＤ規格におけるレーザ波長７８０ｎｍやＤＶＤ規格におけるレーザ波長６５０ｎｍに代表される赤色レーザ波長や、Ｂｌｕ−Ｒａｙ規格におけるレーザ波長４０５ｎｍなどに代表される青色レーザ波長などや、波長２０５から３３５ｎｍの紫外線レーザ波長などが挙げられる。なお、第一の波長は上記波長に限定されるわけではなく、規格に応じたレーザ波長全てを含むものである。ここで、本実施形態における第一の波長はＤＶＤ規格に対応した赤色レーザ波長であるものとする。なお、ＤＶＤ規格に対応した赤色レーザとは、ＣＤ規格にも対応していることはもちろんである。第二光ピックアップ部（０２３０）は、前記光ディスク媒体の他の面にアクセスする第二の波長を利用する。他の面とは、前記一の面とは異なる面のことを示す。従って、一の面がディスク媒体の上方向の面である場合には他の面はディスク媒体の下方向の面について示しているものである。また、タワー型のＰＣにおける光ディスク装置のように、保持部が垂直方向に備わっている場合には、記録面が上下ではなく、左右の面になるため、一の面がディスク媒体の右面となるときは、他の面がディスク媒体の左面となる。なお、図３で示すように上記媒体面がそれぞれ逆転してもよいことはもちろんである。第二の波長とは、第一の波長で説明したものと同様に光ディスク媒体に対してアクセス可能な波長のいずれをも含むものである。なお、第二の波長は第一の波長とは異なるものに限定される。本件発明の目的の一つとして、異なるレーザ波長を用いて互換性のない規格の異なる光ディスク媒体を一の光ディスク装置でピックアップすることを可能にしているからである。本実施形態においては、第一の波長が赤色レーザ波長であるとしたため、第二の波長はＢｌｕ−Ｒａｙ規格に対応した青色レーザ波長であるものとする。なお、第一の波長が青色レーザ波長であって第二の波長が赤色レーザ波長であってもよいことはもちろんである。第二ピックアップ部を構成する例は第一光ピックアップ部で説明したものと同様である。なお、本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、ファームウェア、周辺装置などから構成されるハードウエアと、これらのハードウエア上にて実行可能なドライバやソフトウエアを挙げることができる。具体的には、メモリ上に展開されたプログラムを順次実行することで、メモリ上のデータや、インターフェイスを介して入力されるデータの加工、蓄積、出力などにより各部の機能が実現される（本明細書の全体を通じて同様である。）。
【００１０】
<実施形態１の処理の流れと効果>
図４に、本実施形態における処理の流れの一例を示す。本実施形態における光ディスク装置の動作方法は、光ピックアップからアクセスされる光ディスク媒体を保持するステップ（Ｓ０４１０）と、前記保持された光ディスク媒体の一の面にアクセスする第一の波長を利用して光ピックアップを行うステップ（Ｓ０４２０）と、前記光ディスク媒体の他の面にアクセスする第二の波長を利用して光ピックアップを行うステップ（Ｓ０４３０）と、媒体面からの情報を取得するステップ（Ｓ０４２１、Ｓ０４３１）と、からなる。本実施形態は、現行のＤＶＤ規格に対応した赤色レーザ波長と、Ｂｌｕ−Ｒａｙ規格に対応した青色レーザ波長の２つの光ピックアップを備え、光ディスク媒体の両面にそれぞれがアクセス可能としたため、異なる規格の光ディスク媒体に対しても一の光ディスク装置で読み出し処理や書き込み処理を行うことが可能となる。また、本発明においては、光ディスク媒体の両面に対してアクセスすることが可能であるため、片面は現行ＤＶＤ規格、他面はＢｌｕ−Ｒａｙ規格である光ディスク媒体などに対しても、物理的に表裏を返さずにそれぞれの規格面に対して処理を行うことが可能となる。
【００１１】
<<実施形態２>>
<実施形態２の概要>
本実施形態においては実施形態１に加えて第一光ピックアップ部と第二光ピックアップ部とを制御する制御部を有し、第一光ピックアップ部と第二光ピックアップ部とを同時駆動することを特徴とする。
【００１２】
<実施形態２の構成>
図５に本実施形態における機能ブロック図の一例を示したものである。図５で示す本実施形態の光ピックアップ装置（０５００）は、「保持部」（０５１０）と、「第一光ピックアップ部」（０５２０）と、「第二光ピックアップ部」（０５３０）と、「制御部」（０５４０）と、からなる。「制御部」（０５４０）を除いた構成は実施形態１と共通である。「制御部」（０４４０）を除く各構成要件については実施形態１で説明したものと同様であるため、ここでの説明は省略する。「制御部」（０５４０）は、前記第一光ピックアップ部（０５２０）と、前記第二光ピックアップ部（０５３０）とを制御する。制御方法の一例としては、光源に用いるレーザの出射制御や、光センサの位置制御などが挙げられる。また、光ディスク媒体に当たって反射したレーザを検出して、エラー制御を行うことや、反射して光検出器に入射したレーザから記録面の信号を読み取る制御を行うことなどが挙げられる。なお、制御部（０５４０）は保持部をも制御してもよい。前記制御部（０５４０）は、前記第一光ピックアップ部（０５２０）と前記第二光ピックアップ部（０５３０）とを同時駆動する。同時駆動の一例としては、保持部に保持されている光ディスク媒体に対して同時にアクセスすることなどが挙げられる。同時駆動することにより、光ディスク媒体の両面に記録面がある場合などには、同時に読み取り処理や書き込み処理を行うことが可能となる。これは特に、光ディスク媒体の片面が現行ＤＶＤ規格の記録面で、他面がＢｌｕ−Ｒａｙ規格の記録面となっている場合などにおいては、それぞれ規格の異なる記録面に対して同時にアクセスして情報の読み書きが可能となるため、情報の処理能力が高まる。
【００１３】
<実施形態２の処理の流れと効果>
図６は本実施形態における処理の流れの一例を示す図である。本実施形態における光ディスク装置の動作方法は、第一光ピックアップと第二光ピックアップとを同時駆動するステップ（Ｓ０６４０）を除いては、実施形態１と共通であるため、ここでの説明は省略する。本実施形態においては、制御部を設け第一光ピックアップ部と第二光ディスクピックアップ部とを同時駆動することが可能となったため、光ディスク媒体の両面に対してそれぞれ同時に光ピックアップを行うことが可能となる。これにより、光ディスク媒体の両面の規格がそれぞれ異なっている場合などであっても、それぞれの規格に対応した光ピックアップを同時に行うことが可能となるため、処理能力の高い光ディスク装置を提供することができる。
【００１４】
<<実施形態３>>
<実施形態３の概要>
本実施形態は、実施形態２と同様に第一光ピックアップ部と第二光ピックアップ部とを同時駆動する制御部を有しているが、実施形態２に加えてそれぞれの信号を利用して一のコンテンツを再生し、又は保存することを可能としたことを特徴とする。
【００１５】
<実施形態３の構成>
図７に本実施形態における機能ブロック図の一例を示す。本実施形態における光ディスク装置（０７００）は、「保持部」（０７１０）と、「第一光ピックアップ部」（０７２０）と、「第二光ピックアップ部」（０７３０）と、「制御部」（０７４０）と、からなる。「制御部」（０７４０）は、「マルチインプット制御手段」（０７４１）を有する。「マルチインプット制御手段」（０７４１）を除いた構成は実施形態２と共通である。また、「マルチインプット制御手段」（０７４１）を除く各構成要件については実施形態２で説明したものと同様であるため、ここでの説明は省略する。「マルチインプット制御手段」（０７４１）は、前記第一光ピックアップ部（０７２０）から得られる第一信号と、前記第二光ピックアップ部（０７３０）から得られる第二信号とに基づいて一のコンテンツを構成するための信号処理を行なう。信号とは、例えば記録面にレーザを出射し、記録面に点在しているピットと呼ばれる微小の穴の列からの反射光によって得られる信号などのことである。
【００１６】
一のコンテンツとは、例えば光ディスク媒体に既に記録済みの映像情報や音楽情報などの場合であってもよいし、光ディスク媒体にこれから書き込む予定の映像情報や音楽情報などであってもよい。これにより、例えば、光ディスク媒体の一の面が現行ＤＶＤ規格の赤色レーザ波長に対応し他の面がＢｌｕ−Ｒａｙ規格の青色レーザ波長に対応している場合に、当該光ディスク媒体に映画が記録されているとすると、記憶容量が多いＢｌｕ−Ｒａｙ規格の記録面には映像情報が、記憶容量の少ない現行ＤＶＤ規格の記録面には音声情報が、それぞれ記録されている場合が考えられる。このような場合にはそれぞれの記録面から得られる信号から映画という一のコンテンツを構成することが可能となるため、より高画質・高音声の映画を視聴することができる。他例としては、一の面には映像についての情報が記録されており、他の面にはプログラムについての情報が記録されている場合が挙げられる。これは、一の面には映画の様々なシーンが記録され、他の面には映画のストーリーを自在に変更するプログラムが記録されている場合に、映像とプログラムとを合わせることによってマルチストーリーで構成される映画という一のコンテンツを構成することが可能となる。また、他例としては、一の面には映像についての情報が記録されており、他の面には辞書に関する情報が記録されている場合が挙げられる。これは、一の面には映画が記録され、他の面には映画の主人公の着ている服についての情報やＢＧＭで流れている音楽についての情報が記録されている場合に、服のブランド名や音楽の曲名などの詳細情報も知ることができ、当該詳細情報を映像情報と合わせることで細部にこだわった映画という一のコンテンツを構成することが可能となる。また、他例としては、一の面には映像についての情報が記録されており、他の面には地図に関する情報が記録されている場合が挙げられる。これは、一の面では温泉街などの映像が記録されており、他の面には当該温泉街の地図情報が記録されている場合に、温泉街に関する詳細な案内情報という一コンテンツを構成することが可能になる。また、他例としては、一の面と他の面にそれぞれプログラムに関する情報が記録されている場合が挙げられる。これは、一の面には地図ソフトが記録され他の面には電車乗り換え案内ソフトが記録されている場合に、それぞれの面のプログラムが連動して相互補完的に一のコンテンツを構成することが可能となる。
【００１７】
これに対して、光ディスク媒体に一のコンテンツを構成するための情報を書き込むことも可能である。例えば、あるバックアップ情報を光ディスク媒体に書き込んで保存をしようとする場合に、片面はＤＶＤ規格の記録面を有し他面はＢｌｕ−Ｒａｙ規格の記録面を有する光ディスク媒体に対して、同一のバックアップ情報を同時に書き込むことが可能となる。これにより、ＤＶＤ規格とＢｌｕ−Ｒａｙ規格とに対応した情報を同時に記録することができるため、互換性に富んだ光ディスク装置を提供することができる。
【００１８】
<実施形態３の処理の流れと効果>
図８は、本実施形態における処理の流れの一例を示す図である。本実施形態における処理の流れは一のコンテンツを構成するための信号処理のステップ（Ｓ０８４１）を除いては実施形態２で説明したものと同様であるため、ここでの説明は省略する。前記ステップ（Ｓ０８４１）は、第一信号と第二信号とに基づいて一のコンテンツを構成するための信号処理を行う。ここでは、第一信号と第二信号から光ディスク媒体に記録されている情報の読み出し処理を行う場合もあるし、第一信号と第二信号から光ディスク媒体の存在を検知して、当該光ディスク媒体に対して書き込み処理を行う場合もある。このように、本実施形態は、光ディスク媒体の両面に対するピックアップから得られる信号に基づいて、一のコンテンツを構成するための信号処理を行うことを可能にしたため、例えば、片面はＤＶＤ規格の記録面で他面はＢｌｕ−Ｒａｙ規格の記録面を有する光ディスク媒体に対して、同一の情報を同時に書き込むことが可能となる。これにより、ＤＶＤ規格とＢｌｕ−Ｒａｙ規格とに対応した情報を同時に記録することができるため、効率のよい記録方法を確立することができる。また、例えば、Ｂｌｕ−Ｒａｙ規格の記録面から映像情報を、現行ＤＶＤ規格の記録面から音声情報を、それぞれ読み出すことで、より高画質・高音声の映画などを再生することができる。
【００１９】
<<実施形態４>>
<実施形態４の概要>
本実施形態における光ディスク装置は、実施形態２又は３と同様に第一光ピックアップ部と第二光ピックアップ部とを制御する制御部を有しているが、実施形態２又は３に加えて、一方には書込処理を、他方には読み出し処理を同時にさせることを特徴とする。
【００２０】
<実施形態４の構成>
図９は本実施形態における機能ブロック図の一例を示すものである。本実施形態における光ディスク装置（０９００）は、「保持部」（０９１０）と、「第一光ピックアップ部」（０９２０）と、「第二光ピックアップ部」（０９３０）と、「制御部」（０９４０）と、からなる。「制御部」（０９４０）は、「マルチ処理手段」（０９４１）を有する。「マルチ処理手段」（０９４１）を除く構成は、実施形態２又は３と共通である。また、「マルチ処理手段」（０９４１）を除く各構成要件については実施形態２又は３で説明したものと同様であるため、ここでの説明は省略する。「マルチ処理手段」（０９４１）は、前記第一光ピックアップ部と、前記第二光ピックアップ部に対して、一方には書込処理を、他方には読み出し処理を同時にさせる。テレビ番組などを記録する場合を例にとると、現在放映中の番組を光ディスク媒体の一の面に書き込みながら、既に光ディスク媒体に記録済みの番組を読み出して再生するといった処理を同時に行えることが可能となる。また、一の面が現行ＤＶＤ規格に対応し、他の面がＢｌｕ−Ｒａｙ規格に対応している場合などにおいては、現行ＤＶＤに記録してある情報を読み出して、Ｂｌｕ−Ｒａｙ規格の記録面に書き込みをすることも、あるいは逆にＢｌｕ−Ｒａｙ規格の記録面に記録してある情報を読み出して、現行ＤＶＤ規格の記録面に書き込みをすることも可能である。これにより、任意の情報をミラーリングすることが可能となり、例えば、Ｂｌｕ−Ｒａｙ規格に対応していない光ディスク装置であっても、Ｂｌｕ−Ｒａｙ規格で記録されている情報を間接的に読み出すことも可能となる。
【００２１】
<実施形態４の処理の流れと効果>
図１０は本実施形態における処理の流れの一例を示すものである。光ピックアップの一方には書込処理を、他方には読み出し処理を同時にさせるステップ（Ｓ１０４１、Ｓ１０４２）を除いた構成は実施形態２又は３と共通である。本実施形態においては、第一光ピックアップ部と、第二光ピックアップ部に対して、一方には書込処理を、他方には読み出し処理を同時にさせることが可能なため、例えばＤＶＤ規格やＢｌｕ−Ｒａｙ規格のように互換性がない光ディスク媒体についてミラーリングが可能となり、異なる規格面に記録されている情報を間接的に読み出すことができる。
【００２２】
<<実施形態５>>
<実施形態５の概要>
本実施形態における光ディスク装置は、実施形態１から４のいずれかに加えて、光ディスク媒体の規格が、当該光ディスク装置の光ピックアップに適合するかを判断し、適合しない場合にはエラーメッセージを出力することを特徴とする。図１１は本実施形態における光ディスク装置の概念図である。光ディスク媒体を光ディスク装置に挿入し、対応する規格と異なっていればエラーランプが点灯し、利用者に対して注意を喚起する。
【００２３】
<実施形態５の構成>
図１２に本実施形態における機能ブロック図の一例を示す。本実施形態における光ディスク装置（１２００）は、「保持部」（１２１０）と、「第一光ピックアップ部」（１２２０）と、「第二光ピックアップ部」（１２３０）と、からなる。第一光ピックアップ部（１２２０）と、第二光ピックアップ部（１２３０）は、「媒体面種別判断手段」（１２２１、１２３１）と、「エラーメッセージ手段」（１２２２、１２３２）と、を有する。「媒体面種別判断手段」（１２２１、１２３１）と「エラーメッセージ手段」（１２２２、１２３２）とを除く構成は実施形態１から４のいずれかと共通である。また、「媒体面種別判断手段」（１２２１、１２３１）と「エラーメッセージ手段」（１２２２、１２３２）とを除いた各構成要件については実施形態１から４のいずれかで説明したものと同様であるため、ここでの説明は省略する。「媒体面種別判断手段」（１２２１、１２３１）は、アクセスした媒体面の種別を判断する。アクセスした媒体面の種別の一例としては、ＣＤ規格やＤＶＤ規格やＢｌｕ−Ｒａｙ規格などが挙げられる。なお、本実施形態における種別としては、現行のＤＶＤやＣＤなどの赤色レーザ波長に対応した種別と、Ｂｌｕ−Ｒａｙ  Ｄｉｓｃ（登録商標）などの青色レーザ波長に対応した種別とに分かれているものとして説明するが、当該２種別に限定されるわけではない。「エラーメッセージ手段」（１２２２、１２３２）は、前記媒体面種別判断手段の判断結果に基づいて、ディスクの種別が誤っていることを告知するための第一情報又は、前記保持部に対するディスクの挿入面方向を逆転させることを推奨するための第二情報を出力する。第一情報や第二情報の具体的な出力方法としては、図１１で示すように、それぞれのエラーに対応したエラーランプが点灯することで、エラーメッセージを利用者に対して伝える方法などが挙げられる。図１１では第一エラーランプと第二エラーランプとを設けた光ディスク装置を示しているが、物理的にランプを一つ設けておき、正常時には青色を、第一情報を出力する場合には赤色を、第二情報を出力する場合には黄色を出力するなど、ランプの点滅色によってエラー内容を出力する光ディスク装置であってもよい。なお、本実施例においてはエラーメッセージ手段が第一光ピックアップ部と第二光ピックアップ部とにそれぞれ含まれているが、一体化したエラーメッセージ部として光ピックアップ部とは別の構成になっていてもよい。
【００２４】
本実施例においては、保持部（１１１０）に保持された光ディスク媒体の一の面にアクセスする第一ピックアップ部はＤＶＤ規格に対応した赤色レーザ波長を利用し、前記光ディスク媒体の他の面にアクセスする第二ピックアップ部はＢｌｕ−Ｒａｙ規格に対応した青色レーザ波長を利用する場合を例にして説明する。また、一の面とは光ディスク媒体を図１１で示すような光ディスク装置に挿入した場合における下面のことを示しており、他の面とは上面のことを示している場合を例にして説明する。図１１で示す光ディスク装置は、ディスクの種別の誤りを示す第一エラーランプ（１１１０、１１１１）と、ディスクの挿入方向を逆転させることを奨励する第二エラーランプ（１１２０）と、正常ランプ（１１３０、１１３１）と、を有している。まず、現行の片面記録層のＤＶＤを、記録面を下側にして光ディスク装置に挿入した場合には、下面の光ピックアップ部においてピックアップした情報を正常に読み取ることが可能なため、ディスクの種別はＯＫとなり、正常ランプ（１１３１）が点灯する。一方上面の光ピックアップ部においては、Ｂｌｕ−Ｒａｙ規格に対応した光ディスクの媒体面ではないため、正常に情報を読み取ることができず、ディスクの種別はＮＧになり、第一情報の出力を行い第一エラーランプ（１１１０）が点灯する。これは、両面記録層のＤＶＤを挿入した場合であっても同様である。次に、片面がＤＶＤ規格に対応した媒体面で、他面がＢｌｕ−Ｒａｙ規格に対応した媒体面となっている光ディスク媒体を、それぞれの規格に適合するように光ディスク媒体に挿入した場合を説明する。この場合には、どちらの光ピックアップ部においても正常に情報を読み取ることが可能であるため、どちらの光ピックアップ部からも第一情報は出力されず、正常ランプ（１１３０、１１３１）が点灯する。次に、片面記録層の光ディスク媒体であって、Ｂｌｕ−Ｒａｙ規格に対応した媒体面を有する光ディスク媒体を、規格面が適合するように光ディスク装置に挿入する場合について説明する。下面のピックアップ部においては、ＤＶＤ規格に対応した光ディスクの媒体面ではないため、正常に情報を読み取ることができず、ディスクの種別はＮＧとなり、第一情報の出力を行い第一エラーランプ（１１１１）が点灯する。しかしながら、上面の光ピックアップ部においては、Ｂｌｕ−Ｒａｙ規格に対応した光ディスクの媒体面の情報を読み取ることが可能なため、ディスクの種別はＯＫとなり第一情報は出力されず正常エラーランプ（１１３０）が点灯する。次に片面がＤＶＤ規格に対応した媒体面で、他面がＢｌｕ−Ｒａｙ規格に対応した媒体面となっている光ディスク媒体を、逆の方向に挿入してしまった場合について説明する。この場合には、どちらの光ピックアップにおいても正常に情報を読み取ることができないため、第一情報が出力され、第一エラーランプ（１１１０、１１１１）が点灯する。
【００２５】
次に、ディスクの挿入面方向を逆転させることを推奨するための第二情報を出力する場合について説明する。第二情報を出力する一例としては、それぞれの光ピックアップ部に互いの対応規格についての情報を記録させておき、自身の光ピックアップ部で読み取れないが、他方の光ピックアップ部では読み取ることが可能である場合に第二情報を出力し第二エラーランプ（１１２０）を点灯させる場合などが挙げられる。従って、第二エラーランプが点灯する場合には、第一エラーランプ（１１１０、１１１１）も合わせて点灯することになる。
【００２６】
また、図１３で示す光ディスク装置のように、ディスクの上面と下面のエラーランプを統一し、光ディスク媒体を全く読み取ることができない場合に限りエラーメッセージを出力してもよい。図１４を用いながら具体的な例を挙げて説明する。図１４は、上面のディスクと下面のディスクの種別結果に基づいてエラー表示を行うか否かの判断表の一例を示したものである。ケース１について説明する。まず、現行の片面記録層のＤＶＤを、記録面を下側にして光ディスク装置に挿入した場合には、下面の光ピックアップ部においてピックアップした情報を正常に読み取ることが可能なため、ディスクの種別はＯＫとなる。一方上面の光ピックアップ部においては、Ｂｌｕ−Ｒａｙ規格に対応した光ディスクの媒体面ではないため、正常に情報を読み取ることができず、ディスクの種別はＮＧになり、第一情報の出力を行う。しかしながら、ケース１の場合には上面と下面のうち、下面のディスク種別がＯＫであるため、一方の光ピックアップからのみ第一情報が送られてきているにすぎないため、第一エラーランプ（１３１０）は点灯せずに正常ランプ（１３３０）が点灯する。これは、両面記録層のＤＶＤを挿入した場合であっても同様である。続いてケース２について説明する。ケース２では、片面がＤＶＤ規格に対応した媒体面で、他面がＢｌｕ−Ｒａｙ規格に対応した媒体面となっている光ディスク媒体を、それぞれの規格に適合するように光ディスク媒体に挿入した場合を示している。この場合には、どちらの光ピックアップ部においても正常に情報を読み取ることが可能であるため、どちらの光ピックアップ部からも第一情報は出力されない。従って、正常ランプ（１３３０）が点灯する。次に、ケース３について説明する。ケース３では、片面記録層の光ディスク媒体であって、Ｂｌｕ−Ｒａｙ規格に対応した媒体面を有する光ディスク媒体を、規格が適合するように光ディスク装置に挿入する場合を示したものである。下面のピックアップ部においては、ＤＶＤ規格に対応した光ディスクの媒体面ではないため、正常に情報を読み取ることができず、ディスクの種別はＮＧとなり、第一情報の出力を行う。しかしながら、上面の光ピックアップ部においては、Ｂｌｕ−Ｒａｙ規格に対応した光ディスクの媒体面の情報を読み取ることが可能なため、ディスクの種別はＯＫとなり第一情報は出力されない。その結果、一方の光ピックアップ部からのみ第一情報が送られているにすぎないため、第一エラーランプ（１３１０）は点灯しない。最後にケース４について説明する。エラーランプ（１３１０、１３２０）が点灯するのは本ケースの場合である。本ケースは２パターンに分かれており、第一エラーランプ（１３１０）が点灯する場合と、第二エラーランプ（１３２０）が点灯する場合がある。第一エラーランプ（１３１０）が点灯する具体例としては、物理的な大きさなどは同じであるが、ＤＶＤ規格にもＢｌｕ−Ｒａｙ規格にも対応していないディスクを挿入する場合である。この場合には、どちらのピックアップ部からも第一情報が出力されるため、第一エラーランプ（１３１０）が点灯する。一方、第二エラーランプ（１３２０）が点灯する場合とは、片面がＤＶＤ規格に対応した媒体面で、他面がＢｌｕ−Ｒａｙ規格に対応した媒体面となっている光ディスク媒体を、逆の方向に挿入してしまった場合である。この場合には、例えば下面のピックアップ部からの第一情報の中に、当該ピックアップ部がアクセスしている媒体面はＢｌｕ−Ｒａｙ規格の媒体面であるという情報が含まれており、また、上面のピックアップ部からの第一情報の中には、当該ピックアップ部がアクセスしている媒体面はＤＶＤ規格の媒体面であるという情報が含まれている場合などが挙げられる。このような場合には、ディスク媒体を逆転して挿入し直すことで、それぞれのピックアップ部において情報を正常に読み取ることが可能であるため、第二情報を出力し、第二エラーランプ（１３２０）が点灯し、利用者に注意を喚起することが可能である。
【００２７】
<実施形態５の処理の流れと効果>
図１５は本実施形態における処理の流れの一例を示す図である。本実施形態における光ディスク装置の動作方法は、光ディスクを保持するステップ（Ｓ１５１０）と、一の面にアクセスする波長を利用するステップ（Ｓ１５２０）と、他の面にアクセスする波長を利用するステップ（Ｓ１５３０）と、媒体面からの情報を取得するステップ（Ｓ１５２１、Ｓ１５３１）と、アクセスした媒体面の種別を判断するステップ（Ｓ１５２２、Ｓ１５３２）と、ディスクの種別が誤りかを判断するステップ（Ｓ１５２３、Ｓ１５３３）と、ディスクの種別が誤りである場合にディスクの種別が誤っていることを告知するステップ（Ｓ１５２４、Ｓ１５３４）と、ディスクの購入面が異なっているかを判断するステップ（Ｓ１５２５、Ｓ１５３５）と、ディスクの挿入面が異なっている場合にディスクの挿入面方向を逆転させることを推奨するステップ（Ｓ１５２６、Ｓ１５３６）とからなる。前記ステップ（Ｓ１５２２、Ｓ１５２３、Ｓ１５２４、Ｓ１５２５、Ｓ１５２６、Ｓ１５３２、Ｓ１５３３、Ｓ１５３４、Ｓ１５３５、Ｓ１５３６）を除く動作方法は実施形態１から４のいずれか一と同一の動作方法をとることが可能である。本実施形態においては、媒体面の種別を判断し、判断結果に基づいてディスクの種別が誤っていることを告知し、あるいはディスクの挿入面方向を逆転させることを推奨することが可能であるため、光ディスク装置の利用者にとっては誤った方向にディスクを挿入した場合に注意が喚起され、利便性が向上する。
【図面の簡単な説明】
【００２８】
【図１】実施形態１を説明するための概念図
【図２】実施形態１を説明するための機能ブロック図
【図３】実施形態１の光ディスクの媒体面を説明する図
【図４】実施形態１の処理の流れを説明する図
【図５】実施形態２を説明するための機能ブロック図
【図６】実施形態２の処理の流れを説明する図
【図７】実施形態３を説明するための機能ブロック図
【図８】実施形態３の処理の流れを説明する図
【図９】実施形態４を説明するための機能ブロック図
【図１０】実施形態４の処理の流れを説明する図
【図１１】実施形態５を説明するための概念図
【図１２】実施形態５を説明するための機能ブロック図
【図１３】実施形態５を説明するための第二の概念図
【図１４】実施形態５のエラー表示の判断表を説明する図
【図１５】実施形態５の処理の流れを説明する図
【符号の説明】
【００２９】
０２００    光ディスク装置
０２１０    保持部
０２２０    第一光ピックアップ部
０２３０    第二光ピックアップ部
０２４０    光ディスク媒体
【図１】
2006139836.tif 000003
【図２】
2006139836.tif 000004
【図３】
2006139836.tif 000005
【図４】
2006139836.tif 000006
【図５】
2006139836.tif 000007
【図６】
2006139836.tif 000008
【図７】
2006139836.tif 000009
【図８】
2006139836.tif 000010
【図９】
2006139836.tif 000011
【図１０】
2006139836.tif 000012
【図１１】
2006139836.tif 000013
【図１２】
2006139836.tif 000014
【図１３】
2006139836.tif 000015
【図１４】
2006139836.tif 000016
【図１５】
2006139836.tif 000017